(57)【要約】【課題】歯科医の判定や特殊な器材などを必要とせずに、ユーザが数個の質問に回答するだけで、歯周病のリスクを高い精度で判定する。【解決手段】歯周病リスク判定装置は、対象ユーザに実行させる自己診断項目を表す質問画面（５０）を生成する質問画面生成部と、質問画面（５０）が提示された対象ユーザによる自己診断項目についての自己診断結果を示す自己診断結果データを取得するデータ取得部と、データ取得部が取得した自己診断結果データに基づいて、歯周病リスクの有無を判定するリスク判定部とを備える。【選択図】図３
2017111765.tif 000002
【特許請求の範囲】
【請求項１】
対象ユーザに実行させる自己診断項目を表す質問画面を生成する質問画面生成部と、
該質問画面が提示された該対象ユーザによる該自己診断項目についての自己診断結果を示す自己診断結果データを取得する取得部と、
該取得部が取得した該自己診断結果データに基づいて、歯周病リスクの有無を判定する判定部と、を備え、
該自己診断項目は、下記（Ａ）〜（Ｅ）のみからなることを特徴とする歯周病リスク判定装置：
（Ａ）歯茎の乳頭部または歯茎全体に腫れが認められるか；
（Ｂ）歯が動揺することがあるか；
（Ｃ）起床時に歯垢または歯石が認められるか；
（Ｄ）他人から口臭を指摘されたことがあるか；および
（Ｅ）歯茎に掻痒感があるか。
【請求項２】
上記判定部は、上記対象ユーザの年齢をさらに参照して、歯周病リスクの有無を判定することを特徴とする請求項１に記載の歯周病リスク判定装置。
【請求項３】
上記質問画面生成部は、上記対象ユーザの年齢を問い合わせる質問項目を含む上記質問画面を生成し、
上記取得部は、上記対象ユーザによる該質問項目への回答を示す回答データをさらに取得し、
上記判定部は、該回答データから上記対象ユーザの年齢を取得することを特徴とする請求項２に記載の歯周病リスク判定装置。
【請求項４】
上記判定部は、（ｉ）上記自己診断結果データから、上記（Ａ）〜（Ｅ）の各々の自己診断項目についての二値化された結果値を夫々抽出し、（ｉｉ）該各結果値および上記対象ユーザの年齢の示数の和または重み付けの和から評価値を算出し、（ｉｉｉ）該評価値と閾値とを比較することにより、歯周病リスクの有無を判定することを特徴とする請求項２または３に記載の歯周病リスク判定装置。
【請求項５】
上記判定部は、（ｉ）上記自己診断結果データから、上記（Ａ）〜（Ｅ）の各々の自己診断項目について、上記自己診断結果が肯定的な場合には１を、上記自己診断結果が否定的な場合には０を、上記結果値として夫々抽出し、（ｉｉ）上記各結果値および上記年齢を１０で除して整数に丸めた値である上記示数の和、または、上記示数に掛ける係数に対する上記各結果値に掛ける係数の比が夫々０．１以上３．０以下の範囲である上記重み付けの和から上記評価値を算出し、（ｉｉｉ）上記評価値が上記閾値以上である場合には歯周病リスク有りと、上記評価値が上記閾値未満である場合には歯周病リスク無しと、夫々判定することを特徴とする請求項４に記載の歯周病リスク判定装置。
【請求項６】
上記判定部は、（ｉ）上記自己診断結果データから、上記（Ａ）〜（Ｅ）の各々の自己診断項目についての二値化された結果値を夫々抽出し、（ｉｉ）該各結果値の和または重み付けの和から評価値を算出し、（ｉｉｉ）該評価値と閾値とを比較することにより、歯周病リスクの有無を判定することを特徴とする請求項１に記載の歯周病リスク判定装置。
【請求項７】
上記質問画面生成部は、上記（Ａ）の自己診断項目に関連付けて、歯茎の腫れを示す写真が配置され、上記（Ｃ）の自己診断項目に関連付けて、歯垢および歯石を示す写真が配置されている上記質問画面を生成することを特徴とする請求項１〜６の何れか一項に記載の歯周病リスク判定装置。
【請求項８】
上記質問画面生成部は、上記自己診断項目の各々に関連付けて、二択の選択肢が配置された上記質問画面を生成し、
上記自己診断結果データは、上記自己診断項目の各々についての該選択肢に対する上記対象ユーザの選択を示す選択データを含むことを特徴とする請求項１〜７の何れか一項に記載の歯周病リスク判定装置。
【請求項９】
上記質問画面生成部は、上記自己診断項目の少なくとも一部に関連付けて、三択以上の選択肢が配置された上記質問画面を生成し、
上記自己診断結果データは、上記自己診断項目の各々についての該選択肢に対する上記対象ユーザの選択を示す選択データを含み、
上記判定部は、該選択データを二値化することにより、歯周病リスクの有無を判定することを特徴とする請求項１〜７の何れか一項に記載の歯周病リスク判定装置。
【請求項１０】
上記判定部による歯周病リスクの判定結果を表す結果画面を生成する結果画面生成部をさらに備えていることを特徴とする請求項１〜９の何れか一項に記載の歯周病リスク判定装置。
【請求項１１】
請求項１〜１０の何れか一項に記載の歯周病リスク判定装置としてコンピュータを機能させるためのプログラムであって、上記質問画面生成部、上記取得部および上記判定部としてコンピュータを機能させるためのプログラム。
【請求項１２】
請求項１１に記載のプログラムを記録したコンピュータ読み取り可能な記録媒体。
【発明の詳細な説明】
【技術分野】
【０００１】
本発明は、歯周病リスク判定装置、プログラムおよび記録媒体に関する。
【背景技術】
【０００２】
歯周病とは、歯肉炎や歯周炎などを代表とする歯周組織に慢性炎症を引き起こす疾患の総称である。その罹患率は全世界でも９０％以上と言われており、口腔衛生の状態を損なうこと、歯周病が進行して最終的には歯を失うこと、２型糖尿病や心筋梗塞などの全身疾患のリスクファクターであることが報告されていることから、早期に発見して治療を行なうべき疾患の一つである。
【０００３】
歯周病の診断には、プロービングデプスや歯の動揺度などが重要な検査項目として知られている。これらの検査項目は歯周病の専門知識を有する歯科医による判定や、プロービングなどの特殊な器材が必要になることから、専門知識の無い歯周病患者自身が歯周病の有無や重症度を正確に捉えることは困難である。
【先行技術文献】
【特許文献】
【０００４】
【特許文献１】特許３３６８２７４号公報（２００３年１月２０日公開）
【非特許文献】
【０００５】
【非特許文献１】歯周病セルフチェック、［online］、［平成２６年１２月４日検索］、インターネット〈http://www.mmm.co.jp/hc/dental/consumer/periodontal_disease_preventive/selfcheck/index.html〉
【発明の概要】
【発明が解決しようとする課題】
【０００６】
上述したように、歯周病は早期に発見して治療を行なうべき疾患の一つであるにも拘わらず、自身が歯周病に罹患していることを認識していない人は多い。これは、歯周病の有無や重症度を正確に捉えるために、歯科医の判定や特殊な器材などが必要であることが一因であると考えられる。
【０００７】
そこで、本発明者らは、独自の発想に基づき、歯科医の判定や特殊な器材などを必要とせずに、被験者が質問に回答するだけで、歯周病のリスクを高い精度で判定することを可能にする技術を開発すべく鋭意検討している。なお、特許文献１には、ユーザが質問に回答することで被験者の体質を判定するシステムが記載されているが、当該システムは歯周病リスクを判定するものではない。また、非特許文献１は、歯周病のセルフチェックのためのウェブページであるが、多数の質問が列挙されているために、全ての質問に回答するのが煩雑であり、また、その結果がどの程度の精度を有しているのか不明であるため、不十分である。
【０００８】
本発明は、このような課題に鑑みてなされたものであり、歯科医の判定や特殊な器材などを必要とせずに、ユーザが数個の質問に回答するだけで、歯周病のリスクを高い精度で判定する技術を提供することを主たる目的とする。
【課題を解決するための手段】
【０００９】
本発明者らは、鋭意検討の結果、ユーザが数個の質問に回答するだけで、歯周病のリスクを高い精度で判定する技術であって、統計学的に妥当性が検証された技術を確立し、発明を完成させた。なお、本明細書において、「歯周病のリスク」または「歯周病リスク」は、ユーザが現在歯周病に罹患している可能性を指し、ユーザの将来の罹患可能性を指すものではない。
【００１０】
すなわち、本発明の一態様に係る歯周病リスク判定装置は、対象ユーザに実行させる自己診断項目を表す質問画面を生成する質問画面生成部と、該質問画面が提示された該対象ユーザによる該自己診断項目についての自己診断結果を示す自己診断結果データを取得する取得部と、該取得部が取得した該自己診断結果データに基づいて、歯周病リスクの有無を判定する判定部と、を備え、該自己診断項目は、下記（Ａ）〜（Ｅ）のみからなる：（Ａ）歯茎の乳頭部または歯茎全体に腫れが認められるか；（Ｂ）歯が動揺することがあるか；（Ｃ）起床時に歯垢または歯石が認められるか；（Ｄ）他人から口臭を指摘されたことがあるか；および（Ｅ）歯茎に掻痒感があるか。
【００１１】
上記構成によれば、歯科医の判定や特殊な器材などを必要とせずに、対象ユーザが数個の質問に回答するだけで、歯周病のリスクを高い精度で判定することができる。
【００１２】
本発明の一態様に係る歯周病リスク判定装置では、上記判定部は、上記対象ユーザの年齢をさらに参照して、歯周病リスクの有無を判定してもよい。
【００１３】
上記構成によれば、より高い精度で歯周病のリスクを判定することができる。
【００１４】
本発明の一態様に係る歯周病リスク判定装置では、上記質問画面生成部は、上記対象ユーザの年齢を問い合わせる質問項目を含む上記質問画面を生成し、上記取得部は、上記対象ユーザによる該質問項目への回答を示す回答データをさらに取得し、上記判定部は、該回答データから上記対象ユーザの年齢を取得してもよい。
【００１５】
上記構成によれば、容易に対象ユーザの年齢を取得することができるため、より高い精度で歯周病のリスクを判定することができる。
【００１６】
本発明の一態様に係る歯周病リスク判定装置では、上記判定部は、（ｉ）上記自己診断結果データから、上記（Ａ）〜（Ｅ）の各々の自己診断項目についての二値化された結果値を夫々抽出し、（ｉｉ）該各結果値および上記対象ユーザの年齢の示数の和または重み付けの和から評価値を算出し、（ｉｉｉ）該評価値と閾値とを比較することにより、歯周病リスクの有無を判定してもよい。
【００１７】
上記構成によれば、好適に歯周病のリスクを判定することができる。
【００１８】
本発明の一態様に係る歯周病リスク判定装置では、上記判定部は、（ｉ）上記自己診断結果データから、上記（Ａ）〜（Ｅ）の各々の自己診断項目について、上記自己診断結果が肯定的な場合には１を、上記自己診断結果が否定的な場合には０を、上記結果値として夫々抽出し、（ｉｉ）上記各結果値および上記年齢を１０で除して整数に丸めた値である上記示数の和、または、上記示数に掛ける係数に対する上記各結果値に掛ける係数の比が夫々０．１以上３．０以下の範囲である上記重み付けの和から上記評価値を算出し、（ｉｉｉ）上記評価値が上記閾値以上である場合には歯周病リスク有りと、上記評価値が上記閾値未満である場合には歯周病リスク無しと、夫々判定してもよい。
【００１９】
上記構成によれば、より好適に歯周病のリスクを判定することができる。
【００２０】
本発明の一態様に係る歯周病リスク判定装置では、上記判定部は、（ｉ）上記自己診断結果データから、上記（Ａ）〜（Ｅ）の各々の自己診断項目についての二値化された結果値を夫々抽出し、（ｉｉ）該各結果値の和または重み付けの和から評価値を算出し、（ｉｉｉ）該評価値と閾値とを比較することにより、歯周病リスクの有無を判定してもよい。
【００２１】
上記構成によれば、好適に歯周病のリスクを判定することができる。
【００２２】
本発明の一態様に係る歯周病リスク判定装置では、上記質問画面生成部は、上記（Ａ）の自己診断項目に関連付けて、歯茎の腫れを示す写真が配置され、上記（Ｃ）の自己診断項目に関連付けて、歯垢および歯石を示す写真が配置されている上記質問画面を生成してもよい。
【００２３】
上記構成によれば、対象ユーザは自己診断項目の内容を容易に把握することができるため、より好適に歯周病のリスクを判定することができる。
【００２４】
本発明の一態様に係る歯周病リスク判定装置では、上記質問画面生成部は、上記自己診断項目の各々に関連付けて、二択の選択肢が配置された上記質問画面を生成し、上記自己診断結果データは、上記自己診断項目の各々についての該選択肢に対する上記対象ユーザの選択を示す選択データを含んでもよい。
【００２５】
上記構成によれば、選択肢を二択とすることで、高い精度で歯周病のリスクを判定することができる。
【００２６】
本発明の一態様に係る歯周病リスク判定装置では、上記質問画面生成部は、上記自己診断項目の少なくとも一部に関連付けて、三択以上の選択肢が配置された上記質問画面を生成し、上記自己診断結果データは、上記自己診断項目の各々についての該選択肢に対する上記対象ユーザの選択を示す選択データを含み、上記判定部は、該選択データを二値化することにより、歯周病リスクの有無を判定してもよい。
【００２７】
上記構成によれば、三択以上の選択肢を含む場合に、その結果を二値化して判定を行うことにより、高い精度で歯周病のリスクを判定することができる。
【００２８】
本発明の一態様に係る歯周病リスク判定装置では、上記判定部による歯周病リスクの判定結果を表す結果画面を生成する結果画面生成部をさらに備えていてもよい。
【００２９】
上記構成によれば、対象ユーザが、歯周病のリスクの判定結果を容易に理解することができる。
【００３０】
本発明の各態様に係る歯周病リスク判定装置は、コンピュータによって実現してもよく、この場合には、コンピュータを上記情報管理サーバが備える上記質問画面生成部、上記取得部および上記判定部として動作させることにより上記情報管理サーバをコンピュータにて実現させる情報管理サーバのプログラム、およびそれを記録したコンピュータ読み取り可能な記録媒体も、本発明の範疇に入る。
【発明の効果】
【００３１】
本発明の一態様によれば、歯科医の判定や特殊な器材などを必要とせずに、対象ユーザが数個の質問に回答するだけで、歯周病のリスクを高い精度で判定することができる。
【図面の簡単な説明】
【００３２】
【図１】本発明の一実施形態に係る歯周病リスク判定装置およびユーザ端末の概略構成を示すブロック図である。
【図２】本発明の一実施形態に係る歯周病リスク判定処理の流れを説明するフローチャートである。
【図３】本発明の一実施形態に係る歯周病リスク判定装置が生成する質問画面の一例を示す図である。
【図４】本発明の一実施形態に係る歯周病リスク判定装置が生成する結果画面の一例を示す図である。
【図５】本発明の一変形例に係る歯周病リスク判定装置の概略構成を示すブロック図である。
【図６】歯周病患者および非歯周病患者に対してなされたアンケートの一部を示す図である。
【図７】歯周病患者および非歯周病患者に対してなされたアンケートの一部を示す図である。
【図８】歯周病患者および非歯周病患者に対してなされたアンケートの一部を示す図である。
【図９】歯周病患者および非歯周病患者に対してなされたアンケートの一部を示す図である。
【図１０】歯周病患者および非歯周病患者に対してなされたアンケートの一部を示す図である。
【図１１】歯周病患者および非歯周病患者に対してなされたアンケートの一部を示す図である。
【発明を実施するための形態】
【００３３】
以下、本発明の実施の形態について、詳細に説明する。ただし、以下の実施形態に記載されている構成は、特に特定的な記載がない限り、この発明の範囲をそれのみに限定する趣旨ではなく、単なる説明例に過ぎない。
【００３４】
図１は、本発明の一実施形態に係る歯周病リスク判定装置１００およびユーザ端末１０の概略構成を示すブロック図である。図１に示すように、ユーザ端末１０と歯周病リスク判定装置１００とはネットワーク５を介して接続されている。以下では、歯周病リスク判定装置１００がサーバの形態であり、対象ユーザは、歯周病リスク判定装置１００に接続可能なユーザ端末１０を用いて、歯周病リスク判定装置１００にアクセスすることにより、歯周病リスクの判定を行う態様について説明する。
【００３５】
ユーザ端末１０は、対象ユーザによって利用される端末であり、例えば、ＰＣ端末、タブレット端末、スマートフォン等であり得る。なお、ユーザ端末１０は、必ずしも対象ユーザによって所有されている必要はない。
【００３６】
このような態様の例としては、以下が挙げられるが、これらに限定されない。
・歯周病リスク判定装置１００が、対象ユーザに向けて、歯周病リスク判定を含むウェブサービスを提供しており、対象ユーザが、ユーザ端末１０のブラウザまたはアプリを介して当該ウェブサービスを利用する場合。
・対象ユーザが利用するユーザ端末１０の歯周病リスク判定機能を有するアプリが、歯周病リスク判定装置１００と通信することにより機能する場合。
・歯周病リスク判定装置１００が、一般に公開される、歯周病リスク判定を含むウェブサイトを提供しており、対象ユーザが、ユーザ端末１０のブラウザを介して当該ウェブサイトにアクセスする場合。
・ドラッグストアまたは歯周病の啓発のためのスペース等において、訪れた人が歯周病リスク判定のために利用するユーザ端末１０が、歯周病リスク判定装置１００と通信することにより機能する場合。
【００３７】
（ユーザ端末）
図１に示すように、ユーザ端末１０は、入力受付部１１、主制御部１２、表示部１３および通信部１４を備えている。
【００３８】
入力受付部１１は、例えば、キーボード、マウス、タッチパネル等の入力装置によって構成され、対象ユーザからの入力を信号化して主制御部１２に出力する。対象ユーザからの入力としては、例えば、自己診断項目についての自己診断結果および年齢の入力等であり得る。
【００３９】
主制御部１２は、各部を統括して制御する。主制御部１２は、例えば、通信部１４を介して歯周病リスク判定装置１００から受信した質問画面データに基づき、表示部１３に質問画面を表示させ得る。また、主制御部１２は、例えば、入力受付部１１を介して対象ユーザから入力された自己診断結果およびその他の質問への回答をデータ化し、通信部１４を介して歯周病リスク判定装置１００に送信し得る。また、主制御部１２は、例えば、歯周病リスク判定装置１００から受信した結果画面データに基づき、表示部１３に結果画面を表示させ得る。
【００４０】
表示部１３は、例えば、ＬＣＤ等のディスプレイ装置によって構成され、歯周病リスク判定装置１００が生成した質問画面および結果画面を表示し得る。
【００４１】
通信部１４は、ネットワーク５を介して歯周病リスク判定装置１００との通信を行うものであり、例えば、歯周病リスク判定装置１００から質問画面データおよび結果画面データを受信し、歯周病リスク判定装置１００に対して自己診断結果データおよび回答データを送信し得る。
【００４２】
（歯周病リスク判定装置）
図１に示すように、歯周病リスク判定装置１００は、主制御部１１０、通信部１２０および記憶部１３０を備えている。主制御部１１０は、各部を統括して制御するとともに、質問画面生成部１１１、データ取得部（取得部）１１２、リスク判定部（判定部）１１３および結果画面生成部１１４として機能する。
【００４３】
質問画面生成部１１１は、対象ユーザに実行させる自己診断項目を表す質問画面を生成する。自己診断項目は、（Ａ）歯茎の乳頭部または歯茎全体に腫れが認められるか、（Ｂ）歯が動揺することがあるか、（Ｃ）起床時に歯垢または歯石が認められるか、（Ｄ）他人から口臭を指摘されたことがあるか、および（Ｅ）歯茎に掻痒感があるか、のみからなる。本実施形態において、質問画面には、さらに対象ユーザの年齢を問い合わせる質問項目を含む。なお、「質問画面を生成する」とは、質問画面を表示するための質問画面データを生成することを含む。質問画面データの形式は、ブラウザ、アプリ等が質問画面を表示するために参照可能な形式であり、例えば、ＨＴＭＬ形式であり得る。
【００４４】
データ取得部１１２は、質問画面が提示された対象ユーザによる自己診断項目についての自己診断結果を示す自己診断結果データを取得する。本実施形態では、データ取得部１１２は、年齢を問い合わせる質問項目への対象ユーザによる回答を示す回答データをさらに取得する。
【００４５】
リスク判定部１１３は、データ取得部１１２が取得した自己診断結果データに基づいて、歯周病リスクの有無を判定する。本実施形態では、リスク判定部１１３は、対象ユーザの年齢をさらに参照して、歯周病リスクの有無を判定する。
【００４６】
通信部１２０は、ネットワーク５を介してユーザ端末１０との通信を行うものであり、例えば、ユーザ端末１０に対して質問画面データおよび結果画面データを送信し、ユーザ端末１０から自己診断結果データおよび回答データを受信し得る。
【００４７】
記憶部１３０は、主制御部１１０が使用するデータを記憶するものであり、例えば、質問画面生成部１１１が質問画面を生成するために参照するデータ、および、リスク判定部１１３が歯周病リスクを判定するために参照するデータ等を記憶している。
【００４８】
（歯周病リスク判定処理）
図２は、本実施形態における歯周病リスク判定処理の流れを説明するフローチャートである。図２に示す歯周病リスク判定処理は、例えば、対象ユーザが、ユーザ端末１０を介して、歯周病リスク判定装置１００が提供するウェブサービスの利用を開始したこと、対象ユーザが、ユーザ端末１０の歯周病リスク判定機能を有するアプリを起動したこと、対象ユーザが、ユーザ端末１０のブラウザを介して歯周病リスク判定装置１００が提供するウェブサイトにアクセスしたこと、ドラッグストアまたは歯周病の啓発のためのスペース等において、訪れた人が歯周病リスク判定のためのユーザ端末１０の利用を開始したこと等をトリガーとして開始され得るが、これらに限定されない。
【００４９】
ステップＳ１において、歯周病リスク判定装置１００の質問画面生成部１１１は、記憶部１３０に記憶されたデータを参照して、自己診断項目および質問項目を表す質問画面を生成する（質問画面データを生成する）。質問画面には、自己診断項目および質問項目に関連する選択肢および写真が含まれていてもよい。質問画面の詳細については後述する。質問画面生成部１１１が参照するデータには、各自己診断項目および質問項目を示すテキストデータ、選択肢を示すテキストデータ、写真を示す画像データ等が含まれ得る。
【００５０】
ステップＳ２において、歯周病リスク判定装置１００の主制御部１１０は、質問画面生成部１１１が生成した質問画面データを、通信部１２０を介してユーザ端末１０に送信する。ユーザ端末１０の主制御部１２は、通信部１４を介して受信した質問画面データに基づいて、表示部１３に質問画面を表示し、対象ユーザに提示する。
【００５１】
ステップＳ３において、ユーザ端末１０の入力受付部１１は、質問画面に表された自己診断項目についての対象ユーザからの自己診断結果の入力、および、質問画面に表された質問項目（年齢を問い合わせる質問項目）に対する対象ユーザからの回答の入力を受け付ける。
【００５２】
ステップＳ４において、ユーザ端末１０の主制御部１４は、入力受付部１１が受け付けた自己診断結果を示す自己診断結果データおよび入力受付部１１が受け付けた回答を示す回答データを、通信部１４を介して歯周病リスク判定装置１００に送信する。歯周病リスク判定装置１００のデータ取得部１１２は、通信部１２０を介して受信した自己診断結果データおよび回答データを取得して、リスク判定部１１３に提供する。
【００５３】
ステップＳ５において、歯周病リスク判定装置１００のリスク判定部１１３は、データ取得部１１２から提供された自己診断結果データから、各自己診断項目についての結果値を抽出する。例えば、質問画面において、自己診断項目に関連付けて選択肢が配置されている場合には、リスク判定部１１３は、何れの選択肢が選択されたかに応じて結果値を抽出する。リスク判定部１１３は、また、データ取得部１１２から提供された回答データから、対象ユーザの年齢を抽出する。
【００５４】
ステップＳ６において、歯周病リスク判定装置１００のリスク判定部１１３は、記憶部１３０に記憶されたデータを参照して、各自己診断項目についての結果値および対象ユーザの年齢からスコア（評価値）を算出する。リスク判定部１１３は、スコアを、各自己診断項目についての結果値および年齢の示数の和または重み付けの和から算出する。スコアの算出方法の詳細については後述する。リスク判定部１１３が参照するデータには、各自己診断項目についての結果値および年齢の示数に夫々掛けられる係数を含まれ得る。
【００５５】
ステップＳ７において、歯周病リスク判定装置１００のリスク判定部１１３は、スコアと閾値とを比較し、スコアが閾値未満である場合には、ステップＳ８において歯周病リスクが低いと、スコアが閾値以上である場合には、ステップＳ９において歯周病リスクが高いと、それぞれ判定する。なお、本明細書において、歯周病リスクが低いことを、歯周病リスクが無いと、歯周病リスクが高いことを、歯周病リスクが有ると表現することもある。
【００５６】
ステップＳ１０において、歯周病リスク判定装置１００の結果画面生成部１１４は、リスク判定部１１３の判定結果を表す結果画面を生成する（結果画面データを生成する）。結果画面の詳細については後述する。
【００５７】
ステップＳ１１において、歯周病リスク判定装置１００の主制御部１１０は、結果画面生成部１１４が生成した結果画面データを、通信部１２０を介してユーザ端末１０に送信する。ユーザ端末１０の主制御部１２は、通信部１４を介して受信した結果画面データに基づいて、表示部１３に結果画面を表示し、対象ユーザに提示する。
【００５８】
（質問画面）
図３は、歯周病リスク判定装置１００が生成する質問画面の一例である質問画面５０を示す図である。
【００５９】
図３に示すように、質問画面５０には、年齢を問い合わせる質問項目５１、歯茎の乳頭部または歯茎全体に腫れが認められるかの自己診断項目５３、歯が動揺することがあるかの自己診断項目５６、起床時に歯垢または歯石が認められるかの自己診断項目５８、他人から口臭を指摘されたことがあるかの自己診断項目６２、および歯茎に掻痒感があるかの自己診断項目６４が配置されている。
【００６０】
また、質問画面５０には、質問項目５１に関連付けられた入力欄５２、自己診断項目５３に関連付けられた選択肢５４、自己診断項目５６に関連付けられた選択肢５７、自己診断項目５８に関連付けられた選択肢５９、自己診断項目６２に関連付けられた選択肢６３、および自己診断項目６４に関連付けられた選択肢６５が配置されている。
【００６１】
また、質問画面５０には、歯茎の乳頭部または歯茎全体に腫れが認められるかの自己診断項目５３に関連付けて、歯茎の腫れを示す写真５５が、起床時に歯垢または歯石が認められるかの自己診断項目５８に関連付けて、歯垢を示す写真６０および歯石を示す写真６１が夫々配置されている。
【００６２】
このように、質問画面５０には、（Ａ）歯茎の乳頭部または歯茎全体に腫れが認められるか、（Ｂ）歯が動揺することがあるか、（Ｃ）起床時に歯垢または歯石が認められるか、（Ｄ）他人から口臭を指摘されたことがあるか、および（Ｅ）歯茎に掻痒感があるか、のみからなる自己診断項目を表され、対象ユーザがこれらの自己診断項目についての自己診断結果を回答するだけで、歯周病リスク判定装置１００は、歯周病のリスクを高い精度で判定することができる。
【００６３】
また、質問画面５０には、対象ユーザの年齢を問い合わせる質問項目を含んでいるため、歯周病リスク判定装置１００は、容易に対象ユーザの年齢を取得することができる。実施例において示すように、自己診断結果に加えて対象ユーザの年齢を参照することにより、歯周病のリスクをより高い精度で判定することができる。
【００６４】
また、質問画面５０に、写真５５、写真６０および写真６１を配置することで、対象ユーザが自己診断項目の内容を容易に把握することができるため、より好適に歯周病のリスクを判定することができる。
【００６５】
また、本実施形態において、質問画面５０において各自己診断項目に関連付けて配置された選択肢５４、選択肢５７、選択肢５９、選択肢６３および選択肢６５は、全て二択の選択肢である。これにより、リスク判定部１１３は、対象ユーザが選択した選択肢から直接、二値化された結果値を抽出することができる。実施例において示すように、自己診断結果を二値化した値を用いることにより、歯周病のリスクをより高い精度で判定することができる。
【００６６】
なお、質問画面生成部１１４が生成する質問画面は、図３に示す質問画面５０に限定されず、質問項目５１、自己診断項目５３、自己診断項目５６、自己診断項目５８、自己診断項目６２および自己診断項目６４の文面は、要旨を変更しない範囲において適宜変更することができる。また、質問項目５１、自己診断項目５３、自己診断項目５６、自己診断項目５８、自己診断項目６２および自己診断項目６４の順序、選択肢５４、選択肢５７、選択肢５９、選択肢６３および選択肢６５の各々の選択肢の順序は、適否変更することができる。また、写真５５、写真６０および写真６１は配置しなくともよい。また、選択肢の替わりに入力欄を設けてもよい。
【００６７】
また、対象ユーザは、自己診断結果および回答の入力を完了した後に、図３の最下部に示されているボタン（「判定する」）を操作することにより、入力が完了したことを入力受付部１１に通知するようにしてもよい。
【００６８】
（リスク判定）
リスク判定部１１３は、（ｉ）自己診断結果データから、各自己診断項目についての二値化された結果値を夫々抽出し、（ｉｉ）各結果値および対象ユーザの年齢の示数の和または重み付けの和からスコアを算出し、（ｉｉｉ）スコアと閾値とを比較することにより、歯周病リスクの有無を判定する。
【００６９】
リスク判定部１１３は、例えば、選択肢のうち、否定的な選択肢が選択された場合には結果値として０を、肯定的な選択肢が選択された場合には結果値として１を夫々選択することにより、各自己診断項目についての二値化された結果値を抽出することができる。
【００７０】
また、年齢の示数としては、年齢の大きさを示す数であれば特に限定されないが、リスク判定部１１３は、例えば、年齢を１０で除して整数に丸めた値、特に、年齢を１０で除して四捨五入した値を年齢の示数として抽出することができる。
【００７１】
また、リスク判定部１１３は、各結果値および年齢の示数の重み付けの和からスコアを算出する場合、年齢の示数に掛ける係数に対する各結果値に掛ける係数の比が夫々０．１以上３．０以下の範囲とすることができる。これにより、リスク判定部１１３は、高い精度で歯周病リスクの有無を判定することができる。なお、当該範囲の下限値は、より好ましくは、０．３または０．５である。また、当該範囲の上限値は、より好ましくは、２．５または２．０である。
【００７２】
より具体的には、リスク判定部１１３は、例えば、下記の式に従ってスコアを算出することができる。
スコア＝係数１×年齢の示数＋係数２×（Ａ）の自己診断項目の結果値＋係数３×（Ｂ）の自己診断項目の結果値＋係数４×（Ｃ）の自己診断項目の結果値＋係数５×（Ｄ）の自己診断項目の結果値＋係数６×（Ｅ）の自己診断項目の結果値−定数
そして、閾値としては、例えば、ＲＯＣ（Receiver Operating Characteristic）解析を行って得られた最適値を用いることができる。例えば、係数１〜６を全て１とし、定数を０とした場合には、閾値として７を用いることができる。なお、この場合の歯周病リスク判定の精度はＡＵＣ＝０．９０３６という非常に高い精度である。また、例えば、係数１を１．３とし、係数２を２．３とし、係数３を１．４とし、係数４を１．３とし、係数５を１．４とし、係数６を１．６とし、定数を１０．３とした場合には、閾値として０．２を用いることができる。この場合の歯周病リスク判定の精度もＡＵＣ＝０．８９６２という非常に高い精度である。その他の係数を用いた場合であっても、本実施形態における自己診断結果に基づいてスコアを算出した場合、実施例において示すように、高い精度（ＡＵＣ）を得ることができる。
【００７３】
なお、リスク判定部１１３は、一実施形態において、プロセッサの計算資源を使用して、スコアの算出を行う。その際、リスク判定部１１３は、記憶部１１３に記憶されている各係数および定数を参照して、スコアの算出を行ってもよい。
【００７４】
（結果画面）
図４は、歯周病リスク判定装置１００が生成する結果画面の一例である結果画面７０を示す図である。図４に示すように、結果画面５０には、スコア７１および判定結果７２が含まれている。これにより、対象ユーザが、歯周病のリスクの判定結果を容易に理解することができる。
【００７５】
＜変形例１＞
以上では、質問画面生成部１１１が生成する質問画面に年齢を問い合わせる質問事項が含まれる構成について説明したが、質問画面生成部１１１は、生成する質問画面に年齢を問い合わせる質問事項を含めなくともよい。その場合、リスク判定部１１３は、記憶部１１３または外部のデータベースから対象ユーザの年齢を取得するように構成されていればよい。
【００７６】
＜変形例２＞
以上では、リスク判定部１１３が、対象ユーザの年齢を参照して、歯周病リスクの判定を行う構成について説明したが、リスク判定部１１３は、対象ユーザの年齢を参照せずに、歯周病リスクの判定を行ってもよい。実施例において示すように、対象ユーザの年齢を参照しなくとも、本実施形態に係る（Ａ）〜（Ｅ）の自己診断結果に基づけば、高い精度で歯周病リスクの判定を行うことができる。
【００７７】
すなわち、本変形例において、リスク判定部１１３は、（ｉ）自己診断結果データから、（Ａ）〜（Ｅ）の各々の自己診断項目についての二値化された結果値を夫々抽出し、（ｉｉ）各結果値の和または重み付けの和を算出することによりスコアを算出し、（ｉｉｉ）スコアと閾値とを比較することにより、歯周病リスクの有無を判定してもよい。このように判定しても、好適に歯周病のリスクを判定することができる。
【００７８】
＜変形例３＞
上述したように、質問画面生成部１１１が生成する質問画面において、各自己診断項目に関連付けて配置する選択肢には、三択以上の選択肢が含まれていてもよい。この場合、歯周病リスク判定装置１００の質問画面生成部１１１は、自己診断項目の少なくとも一部に関連付けて、三択以上の選択肢が配置された質問画面を生成し、ユーザ端末１０の主制御部１２は、自己診断項目の各々についての選択肢に対する対象ユーザの選択を示す選択データを含む自己診断結果データを、通信部１４を介して歯周病リスク判定装置１００に送信する。そして、歯周病リスク判定装置１００のリスク判定部１１３は、自己診断結果データに含まれる選択データを二値化することにより、各自己診断項目についての二値化された結果値を得て、歯周病リスクの有無を判定することができる。このように、質問画面が三択以上の選択肢を含む場合であっても、リスク判定部１１３がその結果を二値化して判定を行うことにより、高い精度で歯周病のリスクを判定することができる。
【００７９】
＜変形例４＞
以上では、サーバの形態である歯周病リスク判定装置１００について説明したが、本発明はこれに限定されない。一変形例において、本発明に係る歯周病リスク判定装置はスタンドアロン型であってもよい。
【００８０】
図５は、本変形例に係る歯周病リスク判定装置２００の概略構成を示すブロック図である。図５に示すように、歯周病リスク判定装置２００は、歯周病リスク判定装置１００の各部と同等の主制御部２１０および記憶部２３０を備えている。主制御部２１０は、各部を統括して制御するとともに、質問画面生成部２１１、データ取得部（取得部）２１２、リスク判定部（判定部）２１３および結果画面生成部２１４として機能する。また、歯周病リスク判定装置２００は、ユーザ端末１０の各部と同等の入力受付部２４０および表示部２５０を備えている。これにより、歯周病リスク判定装置２００は、スタンドアロンの形態でも、図２に示すような歯周病リスク判定処理を実行することができる。
【００８１】
〔ソフトウェアによる実現例〕
歯周病リスク判定装置１００の制御ブロック（特に、主制御部１１０）、および、歯周病リスク判定装置２００の制御ブロック（特に、主制御部２１０）は、集積回路（ＩＣチップ）等に形成された論理回路（ハードウェア）によって実現してもよいし、ＣＰＵ（Central Processing Unit）を用いてソフトウェアによって実現してもよい。
【００８２】
後者の場合、歯周病リスク判定装置１００および歯周病リスク判定装置２００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００８４】
歯科医によって歯周病の診断がなされ、歯周病患者であることが判明している歯周病患者５０名と、非歯周病患者であることが判明している非歯周病患者５０名とに対し、図６〜図１１に示す２３問からなるアンケートを実施し、回答を得た。アンケートには、性別および年齢を問い合わせる質問項目（問１〜２）と、自己診断項目（問３〜２３）とが含まれている。アンケートは２回実施し、再現性を担保した。
【００８５】
次いで、得られた回答データに基づき、高い精度で歯周病リスクを判定するためのスコアの算出方法について、以下のような検討を行った。
（１）スコアを算出するために、何れの項目に対する回答を用いるか。
（２）回答をどのように数値化するか。
（３）回答を数値化した値から、どのようにスコアを算出するか。
【００８６】
具体的には、（１）〜（３）の条件を様々に変化させて、ＲＯＣ（Receiver Operating Characteristic）解析を行い、ＡＵＣ（Area Under the Curve）を指標に評価した。一般的な評価基準に基づき、ＡＵＣが０．８以上のものを十分に高い精度であると判断した。
【００８７】
これにより、以下のような結果が得られた。
【００８８】
（１）（Ａ）歯茎の乳頭部または歯茎全体に腫れが認められるか（問５）、（Ｂ）歯が動揺することがあるか（問１６）、（Ｃ）起床時に歯垢または歯石が認められるか（問９および問１０）、（Ｄ）他人から口臭を指摘されたことがあるか（問４）、（Ｅ）歯茎に掻痒感があるか（問１２）の５項目に対する回答に基づいてスコアを算出することにより、高いＡＵＣを得ることができた。また、当該５項目および年齢を問い合わせる質問項目の計６項目に対する回答に基づいてスコアを算出することにより、さらに高いＡＵＣを得ることができた。他の項目に対する回答を用いた場合には、高いＡＵＣを得ることができなかった。
【００８９】
（２）選択肢が三択以上の項目（例えば、問５、問９、問１０、問１２）に対する回答について、選択肢毎に別の数値を割り当てた場合（例えば、問５であれば、「１．」を選択した場合は１とし、「２．」を選択した場合は２とし、「３．」を選択した場合は３とした場合）よりも、二値化した場合（例えば、問５であれば、腫れが認められない旨の「１．」を選択した場合は０とし、腫れが認められる旨の「２．」「３．」を選択した場合は１とした場合）に、より高いＡＵＣを得ることができた。
【００９０】
（３）スコアを算出する式として、下記式において下記表１に示す様々な係数を検討したが、いずれも以下に示すような非常に高いＡＵＣを得ることができた。なお、各自己診断項目の結果値としては、選択された選択肢を二値化した値（否定的な選択肢は０、肯定的な選択肢は１）を用いた。また、年齢の示数としては、年齢を十で除して四捨五入した値を用いた。
スコア＝係数１×年齢の示数＋係数２×（Ａ）の自己診断項目の結果値＋係数３×（Ｂ）の自己診断項目の結果値＋係数４×（Ｃ）の自己診断項目の結果値＋係数５×（Ｄ）の自己診断項目の結果値＋係数６×（Ｅ）の自己診断項目の結果値−定数
【００９１】
【表１】
2017111765.tif 000003
【００９２】
なお、条件１は、年齢を参照せずにスコアを算出している。また、条件１におけるスコアは、各自己診断結果の結果値の和である。また、条件２におけるスコアは、年齢の示数および各自己診断結果の結果値の和である。
【００９３】
また、条件２について、さらにＲＯＣ解析を行い、スコアと比較することにより歯周病リスクを判定するための閾値の最適値が７であることを見出した。また、条件８についても、同様にＲＯＣ解析を行い、閾値の最適値が０．２であることを見出した。
【符号の説明】
【００９４】
１０    ユーザ端末
１１    入力受付部
１２    主制御部
１３    表示部
１４    通信部
５０    質問画面
５１    質問項目
５２    入力欄
５３、５６、５８、６２、６４    自己診断項目
５４、５７、５９、６３、６５    選択肢
５５、６０、６１    写真
７０    結果画面
７１    スコア（評価値）
７２    判定結果
１００    歯周病リスク判定装置
１１０    主制御部
１１１    質問画面生成部
１１２    データ取得部（取得部）
１１３    リスク判定部（判定部）
１１４    結果画面生成部
１２０    通信部
１３０    記憶部
２００    歯周病リスク判定装置
２１０    主制御部
２１１    質問画面生成部
２１２    データ取得部（取得部）
２１３    リスク判定部（判定部）
２１４    結果画面生成部
２３０    記憶部
２４０    入力受付部
２５０    表示部
【図１】
2017111765.tif 000004
【図２】
2017111765.tif 000005
【図３】
2017111765.tif 000006
【図４】
2017111765.tif 000007
【図５】
2017111765.tif 000008
【図６】
2017111765.tif 000009
【図７】
2017111765.tif 000010
【図８】
2017111765.tif 000011
【図９】
2017111765.tif 000012
【図１０】
2017111765.tif 000013
【図１１】
2017111765.tif 000014